(57)【要約】【課題】ころを円滑に転動させることができるころ軸受を提供する。【解決手段】ころ軸受は、外輪と、内輪と、外輪および内輪の間に配置される複数のころと、ころを保持するポケットを形成するように軸に沿う方向に延びる複数の柱部１４ａ、１４ｂ、１４ｃ、１４ｄ、およびこの複数の柱部１４ａ〜１４ｄを連結するように周方向に延びる連結部１５ａ、１５ｂを有し、外輪および内輪の間で周方向に順次連ねて配置される複数の保持器セグメント１１ａとを備える。ここで、ポケット１３ａ、１３ｂ、１３ｃの壁面である案内面１７ａ、１７ｂ、１７ｃ、１７ｄ、１８ｂ、１８ｃには、油溜まり２３が設けられている。【選択図】図１
2007247820.tif 000002
【特許請求の範囲】
【請求項１】
外輪と、
内輪と、
前記外輪および前記内輪の間に配置される複数のころと、
前記ころを保持するポケットを形成するように軸に沿う方向に延びる複数の柱部、およびこの複数の柱部を連結するように周方向に延びる連結部を有し、前記外輪および前記内輪の間で周方向に順次連ねて配置される複数の保持器セグメントとを備えるころ軸受であって、
前記ポケットの壁面には、油溜まりが設けられている、ころ軸受。
【請求項２】
前記油溜まりは、前記ころと対向する面に設けられている、請求項１に記載のころ軸受。
【請求項３】
前記油溜まりは、ころを案内する案内面に設けられている、請求項１または２に記載のころ軸受。
【請求項４】
一つの環状の保持器を、少なくともころを収容する一つのポケットを有するように、軸に沿う方向に延びる分割線によって分割した保持器セグメントであって、
前記ころを保持するポケットを形成するように軸に沿う方向に延びる複数の柱部と、
この複数の柱部を連結するように周方向に延びる連結部とを有し、
前記ポケットの壁面には、油溜まりが設けられている、保持器セグメント。
【請求項５】
風力を受けるブレードと、
その一端が前記ブレードに固定され、ブレードとともに回転する主軸と、
固定部材に組み込まれ、前記主軸を回転自在に支持するころ軸受とを有する風力発電機の主軸支持構造であって、
前記ころ軸受は、外輪と、内輪と、前記外輪および前記内輪の間に配置される複数のころと、前記ころを保持するポケットを形成するように軸に沿う方向に延びる複数の柱部、およびこの複数の柱部を連結するように周方向に延びる連結部を有し、前記外輪および前記内輪の間で周方向に順次連ねて配置される複数の保持器セグメントとを備え、
前記ポケットの壁面には、油溜まりが設けられている、風力発電機の主軸支持構造。
【発明の詳細な説明】
【技術分野】
【０００１】
この発明は、ころ軸受、保持器セグメントおよび風力発電機の主軸支持構造に関し、特に、大型のころ軸受、大型のころ軸受に含まれる保持器セグメントおよびこのような大型のころ軸受を備える風力発電機の主軸支持構造に関するものである。
【背景技術】
【０００２】
ころ軸受は、一般的には、外輪と、内輪と、外輪および内輪の間に配置される複数のころと、複数のころを保持する保持器とから構成される。ころを保持する保持器については、その材質や製造方法等により、樹脂製保持器、プレス保持器、削り保持器、溶接保持器等、様々な種類があり、それぞれ用途や特性に応じて使い分けられている。また、保持器は通常、一体型、すなわち、環状の一つの部品で構成されている。
【０００３】
風を受けるためのブレードが取り付けられた風力発電機の主軸を支持するころ軸受については、大きな荷重を受ける必要があるため、ころ軸受自体も大型となる。そうすると、ころや保持器等、ころ軸受を構成する各構成部材も大型となり、部材の生産や組み立てが困難となる。このような場合、各部材を分割可能とすると、生産や組み立てが容易となる。
【０００４】
ここで、ころ軸受に含まれる保持器を、軸に沿う方向に延びる分割線によって分割した分割型の保持器に関する技術が、ヨーロッパ特許公報１４０８２４８Ａ２（特許文献１）に開示されている。図１２は、特許文献１に開示された分割型の保持器である保持器セグメントを示す斜視図である。図１２を参照して、保持器セグメント１０１ａは、ころを収容する複数のポケット１０４を形成するように軸に沿う方向に延びる複数の柱部１０３ａ、１０３ｂ、１０３ｃ、１０３ｄ、１０３ｅと、複数の柱部１０３ａ〜１０３ｅを連結するように周方向に延びる連結部１０２ａ、１０２ｂとを有する。
【０００５】
図１３は、図１２に示した保持器セグメント１０１ａを含むころ軸受の一部を示す断面図である。図１２および図１３を参照して、保持器セグメント１０１ａを含むころ軸受１１１の構成を説明すると、ころ軸受１１１は、外輪１１２と、内輪１１３と、複数のころ１１４と、複数のころ１１４を保持する複数の保持器セグメント１０１ａ、１０１ｂ、１０１ｃ等とを有する。複数のころ１１４は、最もころの挙動が安定する位置であるＰＣＤ（Ｐｉｔｃｈ  Ｃｉｒｃｌｅ  Ｄｉａｍｅｔｅｒ）１０５付近において、複数の保持器セグメント１０１ａ等によって保持されている。複数のころ１１４を保持する保持器セグメント１０１ａは、周方向において隣接する同一形状の保持器セグメント１０１ｂ、１０１ｃと、周方向の最も外側にある柱部１０３ａ、１０３ｅが当接するように連なって配置されている。複数の保持器セグメント１０１ａ、１０１ｂ、１０１ｃ等が連なって、ころ軸受１１１に組み込まれ、ころ軸受１１１に含まれる一つの環状の保持器が形成される。
【特許文献１】ヨーロッパ特許公報ＥＰ１４０８２４８Ａ２
【発明の開示】
【発明が解決しようとする課題】
【０００６】
保持器セグメントに保持されるころを円滑に転動させるためには、適切に、ころに潤滑剤を供給する必要がある。ころは、保持器セグメントのポケット内に保持されているため、たとえば、保持器セグメントの外部側から、適切に、具体的には、長期間にわたって、適当な位置に適当な量の潤滑剤を供給することは困難である。
【０００７】
この発明の目的は、ころを円滑に転動させることができるころ軸受を提供することである。
【０００８】
この発明の他の目的は、ころを円滑に転動させることができる保持器セグメントを提供することである。
【０００９】
この発明のさらに他の目的は、長寿命を実現した風力発電機の主軸支持構造を提供することである。
【課題を解決するための手段】
【００１０】
この発明に係るころ軸受は、外輪と、内輪と、外輪および内輪の間に配置される複数のころと、ころを保持するポケットを形成するように軸に沿う方向に延びる複数の柱部、およびこの複数の柱部を連結するように周方向に延びる連結部を有し、外輪および内輪の間で周方向に順次連ねて配置される複数の保持器セグメントとを備える。ここで、ポケットの壁面には、油溜まりが設けられている。
【００１１】
このように構成することにより、ポケットの壁面に設けられた油溜まりに潤滑剤を保持させることができる。そうすると、油溜まりに保持された潤滑剤を、ころに供給することができる。したがって、適切に、ころに潤滑剤を供給することができ、ころを円滑に転動させることができる。
【００１２】
ここで、保持器セグメントとは、一つの環状の保持器を、少なくともころを収容する一つのポケットを有するように、軸に沿う方向に延びる分割線によって分割した単位体である。複数の保持器セグメントが周方向に連なってころ軸受に組み込まれ、一つの環状の保持器を形成する。
【００１３】
好ましくは、油溜まりは、ころと対向する面に設けられている。このように構成することにより、ころに対向する面、たとえば、ころの端面と対向する面から、ころに潤滑剤を供給することができる。そうすると、より効率的に、ころに潤滑剤を供給することができる。
【００１４】
好ましくは、油溜まりは、ころを案内する案内面に設けられている。このように構成することにより、ころを案内する際に、油溜まりに保持された潤滑剤を、ころに供給することができる。
【００１５】
この発明の他の局面においては、保持器セグメントは、一つの環状の保持器を、少なくともころを収容する一つのポケットを有するように、軸に沿う方向に延びる分割線によって分割した保持器セグメントであって、ころを保持するポケットを形成するように軸に沿う方向に延びる複数の柱部とこの複数の柱部を連結するように周方向に延びる連結部とを有する。ここで、ポケットの壁面には、油溜まりが設けられている。
【００１６】
このような保持器セグメントは、ころを保持するポケットの壁面に、油溜まりが設けられているため、油溜まりに保持された潤滑剤を、ころに供給することができる。したがって、適切に、ころに潤滑剤を供給することができ、ころを円滑に転動させることができる。
【００１７】
この発明のさらに他の局面においては、風力発電機の主軸支持構造は、風力を受けるブレードと、その一端がブレードに固定され、ブレードとともに回転する主軸と、固定部材に組み込まれ、主軸を回転自在に支持するころ軸受とを有する。ころ軸受は、外輪と、内輪と、外輪および内輪の間に配置される複数のころと、ころを保持するポケットを形成するように軸に沿う方向に延びる複数の柱部、およびこの複数の柱部を連結するように周方向に延びる連結部を有し、外輪および内輪の間で周方向に順次連ねて配置される複数の保持器セグメントとを備える。ここで、ポケットの壁面には、油溜まりが設けられている。
【００１８】
このような風力発電機の主軸支持構造は、ころを円滑に転動させることができるころ軸受を含むため、長寿命を実現することができる。
【発明の効果】
【００１９】
この発明によれば、ポケットの壁面に設けられた油溜まりに潤滑剤を保持させることができる。そうすると、油溜まりに保持された潤滑剤を、ころに供給することができる。したがって、適切に、ころに潤滑剤を供給することができ、ころを円滑に転動させることができる。
【００２０】
また、このような保持器セグメントは、ころを保持するポケットの壁面に、油溜まりが設けられているため、油溜まりに保持された潤滑剤を、ころに供給することができる。したがって、適切に、ころに潤滑剤を供給することができ、ころを円滑に転動させることができる。
【００２１】
また、このような風力発電機の主軸支持構造は、ころを円滑に転動させることができるころ軸受を含むため、長寿命を実現することができる。
【発明を実施するための最良の形態】
【００２２】
以下、この発明の実施の形態を図面を参照して説明する。図１は、この発明の一実施形態に係る円錐ころ軸受に含まれる保持器セグメント１１ａを示す斜視図である。図２は、図１に示す保持器セグメント１１ａを、図１中の線ＩＩ−ＩＩを含み、軸に直交する平面で切断した場合の断面図である。また、図３は、図１に示す保持器セグメント１１ａを、柱部１４ａの中央を通り、円周方向に直交する平面で切断した場合の断面図である。なお、理解の容易の観点から、図２および図３において、保持器セグメント１１ａが保持する複数の円錐ころ１２ａ、１２ｂ、１２ｃを点線で示している。また、一点鎖線でＰＣＤ２２を示す。
【００２３】
図１、図２および図３を参照して、まず、円錐ころ軸受に含まれる保持器セグメント１１ａの構成について説明する。保持器セグメント１１ａは、一つの環状の保持器を、少なくともころを収容する一つのポケットを有するように、軸に沿う方向に延びる分割線によって分割した形状である。保持器セグメント１１ａは、円錐ころ１２ａ、１２ｂ、１２ｃを保持するポケット１３ａ、１３ｂ、１３ｃを形成するように、軸に沿う方向に延びる４つの柱部１４ａ、１４ｂ、１４ｃ、１４ｄと、軸方向の両端に位置し、４つの柱部１４ａ〜１４ｄを連結するように周方向に延びる一対の連結部１５ａ、１５ｂと、軸方向の両端に位置し、周方向に突出する一対の突部１６ａ、１６ｂとを含む。
【００２４】
一対の連結部１５ａ、１５ｂおよび一対の突部１６ａ、１６ｂは、複数の保持器セグメント１１ａが円錐ころ軸受に組み込まれた際に、周方向に連なって一つの環状の保持器を形成するように、周方向において所定の曲率半径を有している。一対の連結部１５ａ、１５ｂおよび一対の突部１６ａ、１６ｂのうち、円錐ころ１２ａ〜１２ｃの小径側に位置する連結部１５ａ、突部１６ａの曲率半径は、円錐ころ１２ａ〜１２ｃの大径側に位置する連結部１５ｂ、突部１６ｂの曲率半径よりも小さく構成されている。
【００２５】
一対の突部１６ａ、１６ｂは、他の保持器セグメントと端面２１ａ、２１ｂ同士を当接させて配置した場合に、保持器セグメント１１ａと他の保持器セグメントとの間に、円錐ころを収容するポケットを形成する。
【００２６】
ポケット１３ａ〜１３ｃの周方向両側に位置する柱部１４ａ〜１４ｄの内径側および外径側には、案内面１７ａ、１７ｂ、１７ｃ、１７ｄ、１８ａ、１８ｂ、１８ｃ、１８ｄが設けられている。このように構成することにより、保持器セグメントは、ころ案内となり、保持器セグメント１１ａの径方向への移動が規制される。柱部１４ａ〜１４ｄの外径側および内径側には、軸方向の中央部分において、径方向内側または外側に凹んだ形状で、周方向に貫通する油溝１９、２０が設けられている。この油溝１９、２０により、潤滑剤の循環が良好になる。
【００２７】
ここで、ポケット１３ａの壁面であり、ポケット１３ａに保持される円錐ころ１２ａに対向する面である案内面１７ａ、１７ｂには、油溜まり２３が設けられている。油溜まり２３は、案内面１７ａ、１７ｂのうち、軸方向の中央部分に設けられており、案内面１７ａの形状に沿って、径方向に凹んだ形状である。このような油溜まり２３を設けることにより、油溜まり２３に、潤滑剤を保持することができる。油溜まり２３には、予め潤滑剤を封入して保持させておいてもよいし、たとえば、ころ軸受の運転時において、外部側から潤滑剤を適当に供給してもよい。なお、ポケット１３ｂの壁面である案内面１８ｂ、１８ｄ、ポケット１３ｃの壁面である案内面１７ｃ、１７ｄについても同様に、油溜まり２３が設けられており、その構成は、案内面１７ａ、１７ｂに設けられた油溜まり２３と同じであるため、その説明を省略する。さらに、案内面１８ａ、１８ｄについても同様に、油溜まり２３が設けられている。
【００２８】
次に、この発明の一実施形態に係る円錐ころ軸受に含まれ、周方向に連なる保持器セグメント１１ａ等の周方向のすき間の寸法を調整する間座について説明する。図４は、円錐ころ軸受に含まれる間座２６の斜視図である。図４を参照して、間座２６の構成について説明すると、間座２６は、軸方向の両端に位置する端部２７ａ、２７ｂと、端部２７ａ、２７ｂ間に位置する中央部２８とを含む。端部２７ａ、２７ｂの軸方向の間隔は、上記した保持器セグメント１１ａに含まれる一対の突部１６ａ、１６ｂの軸方向の間隔と同じである。また、中央部２８の内径面側および外径面側には、周方向に貫通する油溝３０ａ、３０ｂが設けられている。間座は、ころを収容するポケットを有さないものであり、少なくともころを収容する一つのポケットを有する保持器セグメントとは、異なるものである。
【００２９】
次に、上記した保持器セグメント１１ａおよび間座２６を含む円錐ころ軸受の構成について説明する。図５は、複数の保持器セグメント１１ａ、１１ｂ、１１ｃ、１１ｄ等および間座２６を周方向に配置させた円錐ころ軸受３１を、軸方向から見た概略断面図である。また、図６は、図５中においてＶＩで示す部分の拡大断面図である。ここで、保持器セグメント１１ｂ、１１ｃ、１１ｄは、保持器セグメント１１ａと同一形状であるため、その説明を省略する。なお、図５においては、保持器セグメント１１ａ等に保持される円錐ころ３４を省略している。また、ここでは、複数の保持器セグメント１１ａ〜１１ｄのうち、最初に配置される保持器セグメントを保持器セグメント１１ａとし、最後に配置される保持器セグメントを保持器セグメント１１ｄとする。
【００３０】
ここで、最初の保持器セグメントとは、保持器セグメントを周方向に順次連ねて配置する際に、最初に配置される保持器セグメントをいい、最後の保持器セグメントとは、隣接する保持器セグメントを当接させ、周方向に順次連ねて配置していった際に、最後に配置される保持器セグメントをいう。このようにして配置したときに、最初の保持器セグメントと最後の保持器セグメントとの間に生じたすき間を、間座によって、適正なすき間寸法となるように調整する。
【００３１】
図５および図６を参照して、円錐ころ軸受３１は、外輪３２と、内輪３３と、複数の円錐ころ３４と、複数の保持器セグメント１１ａ〜１１ｄと、間座２６とを備える。保持器セグメント１１ａ〜１１ｄは、周方向において、順次連ねられて配置される。ここでは、まず、最初に保持器セグメント１１ａが配置され、次に、保持器セグメント１１ｂが保持器セグメント１１ａと当接するように配置される。その後、保持器セグメント１１ｃが保持器セグメント１１ｂと当接するように配置され、順次、保持器セグメントが配置されていき、最後に、保持器セグメント１１ｄが配置される。ここで、隣接する２つの保持器セグメント１１ａ、１１ｂ等の間には、最初の保持器セグメント１１ａと最後の保持器セグメント１１ｄとの間を除いて、形成されるポケット３５に円錐ころ３４が配置される。
【００３２】
保持器セグメント１１ａ等のポケット１２に保持された円錐ころ３４を円滑に転動させるためには、円錐ころ３４に、適切に、すなわち、円錐ころ３４の転動時に、長期にわたって、適当な位置に適当な量の潤滑剤を供給する必要がある。ここで、ポケット１２の壁面である案内面１７ａ等には、潤滑剤を保持する油溜まり２３が設けられているため、円錐ころ３４の案内時に、適切に、潤滑剤を円錐ころ３４に供給することができる。したがって、ポケット１２に保持される円錐ころ３４の転動を円滑にすることができる。
【００３３】
また、隣接する保持器セグメント１１ａ、１１ｂ等の間に配置された円錐ころ３４は、隣接する保持器セグメント１１ａ、１１ｂ等の間に形成されたポケット３５に保持されている。ここで、ポケット３５の壁面となり、保持器セグメント１１ａ等の周方向外側に位置する柱部１４ａ、１４ｅ、１４ｆ、１４ｇの周方向外側に設けられた案内面１８ａ、１８ｅ、１８ｆ、１８ｇにも、油溜まり２３が設けられている。したがって、油溜まり２３に保持された潤滑剤を、隣接する保持器セグメント１１ａ、１１ｂの間に配置された円錐ころ３４に対して、供給することができる。その結果、隣接する保持器セグメント１１ａ、１１ｂの間に保持される円錐ころ３４についても、円滑に転動させることができる。
【００３４】
次に、最初の保持器セグメント１１ａと最後の保持器セグメント１１ｄとの間に配置される間座２６の配置状態について説明する。図７は、図５においてＶＩＩで示す部分の拡大断面図である。図５および図７を参照して、保持器セグメント１１ａ等を順次当接するように連なって配置していき、保持器セグメント１１ａと保持器セグメント１１ｄとの間に生じたすき間３９に、間座２６を配置させる。こうすることにより、保持器セグメント１１ａと間座２６との間に生じる周方向の最後すき間４０の寸法を、容易に設定された範囲にすることができる。最後すき間とは、保持器セグメント１１ａ〜１１ｄ等を円周上にすき間なしに配置し、さらに、最後の保持器セグメント１１ｄと間座２６とをすき間なしに配置したときに、最初の保持器セグメント１１ａと、最初の保持器セグメント１１ａと最後の保持器セグメント１１ｄとの間に配置された間座２６との最大すき間をいう。
【００３５】
なお、上記の実施の形態においては、ポケットの壁面のうち、周方向の両側に位置する側壁面の案内面に油溜まりを設けることにしたが、これに限らず、側壁面のうち、案内面が設けられていない部分に油溜まりを設けてもよい。さらに、ポケットの壁面のうち、他の部分に油溜まりを設けることにしてもよい。
【００３６】
図８は、ポケットの壁面のうち、ころの端面と対向する面に油溜まりを設けた保持器セグメントの一部を示す図である。図８を参照して、保持器セグメント４１のポケット４２の壁面のうち、連結部４３ａ、４３ｂ側の壁面、すなわち、ポケット４２に保持される円錐ころ（図示せず）の大端面および小端面に対向する壁面４４ａ、４４ｂに、油溜まり４５ａ、４５ｂが設けられている。油溜まり４５ａ、４５ｂは、径方向に連なり、連結部４３ａ、４３ｂを内径側から外径側に貫通する溝状である。
【００３７】
このような位置に油溜まり４５ａ、４５ｂを設けることによっても、ポケット４２に保持された円錐ころを円滑に転動させることができる。この場合、円錐ころの小端面側、大端面側に対向する面となり、円錐ころの転動時において、円錐ころの端面とポケットの壁面との摩擦や摩耗が激しい部分であるため、円錐ころの端面の摩擦や摩耗を抑制して、円錐ころを円滑に転動させることができる。また、油溜まり４５ａ、４５ｂは、径方向に貫通した溝状で、それぞれ壁面４４ａ、４４ｂから軸方向に凹んだ形状であるため、ポケット４２の内径側および外径側から、容易に、油溜まり４５ａ、４５ｂ内に潤滑剤を供給することができる。さらに、円錐ころの端面に対し、径方向の広範囲にわたって、潤滑剤を供給することができる。
【００３８】
また、図９に示すように、保持器セグメント４６のポケット４７の壁面のうち、連結部４８ａ、４８ｂ側の壁面４９ａ、４９ｂに、周方向に連なる形状の油溜まり５０を設けることにしてもよい。こうすることによっても、ポケット４７に保持される円錐ころ（図示せず）の端面の摩擦や摩耗を抑制して、円錐ころを円滑に転動させることができる。なお、この場合も、周方向側から、油溜まり５０に、容易に潤滑剤を保持させることができ、円錐ころの端面に対し、径方向の広範囲にわたって、潤滑剤を供給することができる。
【００３９】
図１０および図１１は、この発明の一実施形態に係るころ軸受を主軸支持軸受７５として適用した、風力発電機の主軸支持構造の一例を示している。主軸支持構造の主要部品を支持するナセル７２のケーシング７３は、高い位置で、旋回座軸受７１を介して支持台７０上に水平旋回自在に設置されている。風力を受けるブレード７７を一端に固定する主軸７６は、ナセル７２のケーシング７３内で、軸受ハウジング７４に組み込まれた主軸支持軸受７５を介して、回転自在に支持されている、主軸７６の他端は増速機７８に接続され、この増速機７８の出力軸が発電機７９のロータ軸に結合されている。ナセル７２は、旋回用モータ８０により、減速機８１を介して任意の角度に旋回させられる。
【００４０】
軸受ハウジング７４に組み込まれた主軸支持軸受７５は、この発明の一実施形態に係るころ軸受であって、ころ軸受は、外輪と、内輪と、外輪および内輪の間に配置される複数のころと、ころを保持するポケットを形成するように軸に沿う方向に延びる複数の柱部、およびこの複数の柱部を連結するように周方向に延びる連結部を有し、外輪および内輪の間で周方向に順次連ねて配置される複数の保持器セグメントとを備える。ここで、ポケットの壁面には、油溜まりが設けられている。
【００４１】
主軸支持軸受７５は、大きな風力を受けるブレード７７を一端に固定する主軸７６を支持するため、大きな荷重がかかることになる。そうすると、主軸支持軸受７５自体も大型にする必要がある。ここで、生産性向上等のため、一つの環状の保持器を分割した形状の保持器セグメントとし、保持器セグメントのポケットの壁面に、油溜まりを設けることにより、ポケットに保持された円錐ころを円滑に転動させることができる。そうすると、風力発電機の主軸支持構造は、長寿命を実現することができる。
【００４２】
なお、上記した油溜まりは、ポケットの壁面に複数設けられていてもよい。
【００４３】
また、上記の実施の形態においては、保持器セグメントは、周方向に突出する突部を有することにしたが、これに限らず、突部を有さないタイプ、すなわち、周方向外側に柱部が配置される構成の保持器セグメントについても、適用される。
【００４４】
なお、上記の実施の形態においては、円錐ころ軸受は、間座を含むことにしたが、これに限らず、このような間座を含まないタイプの円錐ころ軸受についても、適用される。また、間座の形状についても、たとえば、略直方体形状や、中央部が周方向に膨出した形状等であっても構わない。さらに、隣接する保持器セグメントの間に、ころを配置しなくともよいし、間座と保持器セグメントとの間に、ころを配置してもよい。
【００４５】
なお、上記の実施の形態においては、保持器セグメントは、ころを収容するポケットを３つ有することにしたが、これに限らず、４つ以上のポケットを有することにしてもよい。このような構成の保持器セグメントは、案内面が設けられたポケットを多く有するため、より安定して径方向に配置される。
【００４６】
また、上記の実施の形態においては、ころ軸受に備えられるころとして、円錐ころを用いたが、これに限らず、円筒ころや針状ころ、棒状ころ等を用いてもよい。
【００４７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４８】
この発明に係るころ軸受は、ころを円滑に転動させることができるため、長寿命が要求されるころ軸受に有効に利用される。
【００４９】
この発明に係る保持器セグメントは、ころを円滑に転動させることができるため、長寿命が要求されるころ軸受に備えられる場合に、有効に利用される。
【００５０】
また、この発明に係る風力発電機の主軸支持構造についても、長寿命が要求される風力発電機の主軸支持構造に、有効に利用できる。
【図面の簡単な説明】
【００５１】
【図１】この発明の一実施形態に係る円錐ころ軸受に含まれる保持器セグメントの斜視図である。
【図２】図１に示す保持器セグメントを、図１中の線ＩＩ−ＩＩを含み、軸に直交する平面で切断した場合の断面図である。
【図３】図１に示す保持器セグメントを、柱部の中央を通り、円周方向に直交する平面で切断した場合の断面図である。
【図４】円錐ころ軸受に含まれる間座を示す斜視図である。
【図５】複数の保持器セグメントおよび間座を周方向に配置した場合の円錐ころ軸受の概略断面図である。
【図６】隣接する保持器セグメントを示す拡大断面図である。
【図７】最初の保持器セグメントと最後の保持器セグメントとの間に間座を配置した場合の拡大断面図である。
【図８】ポケットの軸方向の壁面に、径方向に連なる油溜まりを設けた保持器セグメントの一部を示す斜視図である。
【図９】ポケットの軸方向の壁面に、周方向に連なる油溜まりを設けた保持器セグメントの一部を示す斜視図である。
【図１０】この発明に係る円錐ころ軸受を用いた風力発電機の主軸支持構造の一例を示す図である。
【図１１】図１０に示す風力発電機の主軸支持構造の図解的側面図である。
【図１２】従来における保持器セグメントの斜視図である。
【図１３】図１２に示す保持器セグメントを、柱部を含み、軸に直交する平面で切断した場合の断面図である。
【符号の説明】
【００５２】
１１ａ，１１ｂ，１１ｃ，１１ｄ，４１，４６  保持器セグメント、１２，１２ａ，１２ｂ，１２ｃ，３４  円錐ころ、１３ａ，１３ｂ，１３ｃ，３５，４２，４７  ポケット、１４ａ，１４ｂ，１４ｃ，１４ｄ，１４ｅ，１４ｆ，１４ｇ  柱部、１５ａ，１５ｂ，４３ａ，４３ｂ，４８ａ，４８ｂ  連結部、１６ａ，１６ｂ  突部、１７ａ，１７ｂ，１７ｃ，１７ｄ，１８ａ，１８ｂ，１８ｃ，１８ｄ，１８ｅ，１８ｆ，１８ｇ  案内面、１９，２０，３０ａ，３０ｂ  油溝、２１ａ，２１ｂ  端面、２２  ＰＣＤ、２３，４５ａ，４５ｂ，５０  油溜まり、４４ａ，４４ｂ，４９ａ，４９ｂ  壁面、２６  間座、２７ａ，２７ｂ  端部、２８  中央部、３１  円錐ころ軸受、３２  外輪、３３  内輪、３９  すき間、４０  最後すき間、７０  支持台、７１  旋回座軸受、７２  ナセル、７３  ケーシング、７４  軸受ハウジング、７５  主軸支持軸受、７６  主軸、７７  ブレード、７８  増速機、７９  発電機、８０  旋回用モータ、８１  減速機。
【図１】
2007247820.tif 000003
【図２】
2007247820.tif 000004
【図３】
2007247820.tif 000005
【図４】
2007247820.tif 000006
【図５】
2007247820.tif 000007
【図６】
2007247820.tif 000008
【図７】
2007247820.tif 000009
【図８】
2007247820.tif 000010
【図９】
2007247820.tif 000011
【図１０】
2007247820.tif 000012
【図１１】
2007247820.tif 000013
【図１２】
2007247820.tif 000014
【図１３】
2007247820.tif 000015